(57)【要約】【課題】筐体内に設けられた装着部に情報記憶媒体を挿入するための挿入口を有する電子機器において、情報記憶媒体が不完全な装着状態にあるときにこれを確実に知ることができる電子機器を提供する。【解決手段】車載用電子機器１０は、挿入口５０に突出する第１の位置と挿入口５０から後退する第２の位置をとるスライド部材６０１を有し、スライド部材６０１が第２の位置にあることを検出する位置センサー９０と、検出出力によって警報を発する警報手段の警報部１３０とが設けられている。そのため、ＩＣカード８０が完全に装着されずに挿入口５０に突出している状態では、これをＩＣカードが未装着の状態で在ることとして警報する。【選択図】図５
2010186428.tif 000002
【特許請求の範囲】
【請求項１】
情報記憶媒体を挿入するための挿入口と、
前記挿入口から挿入された情報記憶媒体が装着される装着部と、
前記挿入口を形成するスリットの長手方向に沿って摺動し、前記情報記憶媒体が前記装着部に装着された状態において前記挿入口を塞ぐ態様で該挿入口に突出する第１の位置と、前記情報記憶媒体の挿入を可能とする状態において前記挿入口を開放する態様で該挿入口から後退する第２の位置と、をとるように配されたスライド部材と、
前記スライド部材が前記第２の位置にあることを検出する検出手段と、
前記検出手段の検出出力によって警報を発する警報手段と、
を備えたことを特徴とする電子機器。
【請求項２】
情報記憶媒体を挿入するための挿入口が形成された筐体と、
前記挿入口が形成された前記筐体の面に対して開閉するパネルと、
前記挿入口から挿入された情報記憶媒体が装着される装着部と、
前記挿入口を形成するスリットの長手方向に沿って摺動し、前記情報記憶媒体が前記装着部に装着された状態において前記挿入口を塞ぐ態様で該挿入口に突出する第１の位置と、前記情報記憶媒体の挿入を可能とする状態において前記挿入口を開放する態様で該挿入口から後退する第２の位置と、をとるように配されたスライド部材と、
前記スライド部材が前記第２の位置にあることを検出する検出手段と、
前記検出手段の検出出力によって前記パネルが閉成されることを禁止する禁止手段と、を備えたことを特徴とする電子機器。
【請求項３】
前記検出手段の検出出力によって警報を発する警報手段を備えたことを特徴とする請求項２に記載の電子機器。
【請求項４】
前記スライド部材には、該スライド部材が前記第１の位置にあるときに、前記装着部に装着された前記情報記憶媒体の後縁部分が挿入される切欠き部が設けられていることを特徴とする請求項１乃至請求項３の何れか１項に記載の電子機器。
【発明の詳細な説明】
【技術分野】
【０００１】
本発明は、情報記憶媒体を用いて使用する電子機器に関し、特に、筐体内に設けられた装着部に情報記憶媒体を挿入するための挿入口を有する電子機器に関するものである。
【背景技術】
【０００２】
近年の車載用電子機器は、例えば、ナビゲーション機能、オーディオビジュアル機能等の各種機能を備えたものが広く普及している。オーディオビジュアル機能では、音楽情報や画像情報を記録したＳＤカード等のメモリカードを車載用電子機器に装着し、このメモリカードに記録された音楽情報等を読み出して再生することができる。また、最近では、デジタル放送を視聴する機能を備え、その視聴の際にＢ−ＣＡＳ（登録商標）カードと呼ばれるデジタル放送番組の著作権保護や有料放送の視聴ために利用されるＩＣカードを用いる場合がある。
【０００３】
従来、この種の車載用電子機器としては、例えば下記の特許文献１（特開２００８−２０９２００号公報）で示すものがある。この車載用電子機器は、ユーザが記録媒体である各種ＩＣカードを装着、離脱させるためにカード用挿入口を有するものである。このカード用挿入口は車載用電子機器の本体前面に設けられており、更に、本体前面には開閉式の前面パネルが取り付けられている。従って、例えばＳＤカードのようなカードを装着、離脱させる場合は、前面パネルを開いた状態で行なうようになっている。
【０００４】
また、車載用電子機器は車両の走行中に振動を受けて装着されたカードがカード用挿入口から抜け落ちてしまうことがある。そのため、従来は、例えば下記の特許文献２（特開２００７−５１１５号公報）で示すように、デジタルタコグラフ、自動料金収受システム等の車載用電子機器におけるメモリカード、ＩＣカード等のカードを挿入するカード用挿入口に抜け防止部材を設けたものが提案されている。
【０００５】
その具体的な構成は、抜け防止部材であるスライドイジェクトボタンがカード用挿入口に隣接されている。スライドイジェクトボタンはカード用挿入口の一部を覆うようにスプリングによって防止位置に付勢され、この付勢方向とは反対方向の解除位置にスライドさせることで、カード用挿入口に対するカードの挿入及び排出を許可するように設けている。そして、スライドイジェクトボタンが前記反対方向にスライドされ、カード用挿入口からカードが挿入されて装置本体のカードコネクタに装着されると、スライドイジェクトボタンは前記付勢方向に付勢されて前記防止位置に復帰する。
【０００６】
従って、スライドイジェクトボタンは、カードコネクタに装着されたカードの一部を係止することになるため、カードがカード挿入口から抜け出ることを防止している。しかも、スライドイジェクトボタンはカードを排出させるためのスライド部材の端に設けカード用挿入口に対して排出可能な位置にスライドしたときにスライド部材のカード排出方向への操作を可能としたものである。そのため、片手でカードの抜け防止解除操作と排出操作を行うことができる。
【先行技術文献】
【特許文献】
【０００７】
【特許文献１】特開２００８−２０９２００号公報（段落［００２５］〜段落［００２７］、図１）
【特許文献２】特開２００７−５１１５号公報（段落［０００６］、段落［００４１］、段落［００４６］〜段落［００５１］）
【発明の概要】
【発明が解決しようとする課題】
【０００８】
しかしながら、上記特許文献１に開示された従来の車載用電子機器では、ユーザが運転席からＳＤカード、ＩＣカードのようなカードの装着を行なう場合には、カードをカード挿入口に入れることに困難を伴う。特に、車載用電子機器の設置位置は運転者の視野から外れた運転席の横方向の車体に組み込まれているのでカード挿入口の位置を探ってカードを挿入しなければならない。
【０００９】
そのため、カードが確実に装着されていない状態で車載用電子機器を操作してしまうことがある。この場合、車載用電子機器は正常に作動せず使用者にとって不便をきたす。また、開閉される前面パネルを設けた車載用電子機器においては、カードが確実に装着されておらず挿入口から端を突出させたままで前面パネルを閉じてしまうとカードや前面パネルを破損させてしまう。
【００１０】
また、上記特許文献２に開示されている従来の車載用電子機器は、上記特許文献１で示す従来技術と同様にカードをカード挿入口に挿入することが難しく、完全な装着状態が得られないことがある。そのため、カードが挿入経路の途中に留まってしまい、ユーザがこれを知らずに車載用電子機器を操作すると誤動作の原因となる。
【００１１】
そこで、本発明は、このような問題点を解消することを課題とし、誤操作を防止することができる車載用電子機器を提供することを目的とするものである。
【課題を解決するための手段】
【００１２】
前記課題を解決するために、本願の請求項１に係る発明は、
情報記憶媒体を挿入するための挿入口と、
前記挿入口から挿入された情報記憶媒体が装着される装着部と、
前記挿入口を形成するスリットの長手方向に沿って摺動し、前記情報記憶媒体が前記装着部に装着された状態において前記挿入口を塞ぐ態様で該挿入口に突出する第１の位置と、前記情報記憶媒体の挿入を可能とする状態において前記挿入口を開放する態様で該挿入口から後退する第２の位置と、をとるように配されたスライド部材と、
前記スライド部材が前記第２の位置にあることを検出する検出手段（例えば、位置センサー前面パネル９０）と、
前記検出手段の検出出力によって警報を発する警報手段と、
を備えたことを特徴とする。
【００１３】
また、本願の請求項２に係る発明は、
情報記憶媒体を挿入するための挿入口が形成された筐体と、
前記挿入口が形成された前記筐体の面に対して開閉するパネル（例えば、前面パネル７０）と、
前記挿入口から挿入された情報記憶媒体が装着される装着部と、
前記挿入口を形成するスリットの長手方向に沿って摺動し、前記情報記憶媒体が前記装着部に装着された状態において前記挿入口を塞ぐ態様で該挿入口に突出する第１の位置と、前記情報記憶媒体の挿入を可能とする状態において前記挿入口を開放する態様で該挿入口から後退する第２の位置と、をとるように配されたスライド部材と、
前記スライド部材が前記第２の位置にあることを検出する検出手段（例えば、位置センサー前面パネル９０）と、
前記検出手段の検出出力によって前記パネルが閉成されることを禁止する禁止手段と、を備えたことを特徴とする。
【００１４】
また、本願の請求項３に係る発明は、請求項２に係る電子機器において、
前記検出手段の検出出力によって警報を発する警報手段を備えたことを特徴とする。
また、本願の請求項４に係る発明は、請求項１乃至請求項３の何れか１項に係る電子機器において、
前記スライド部材には、該スライド部材が前記第１の位置にあるときに、前記装着部に装着された前記情報記憶媒体の後縁部分が挿入される切欠き部（例えば、切欠き６０７）が設けられていることを特徴とする。
【発明の効果】
【００１５】
本願の車載用電子機器は、次に示すような優れた効果を奏する。
【００１６】
すなわち、請求項１に係る発明においては、情報記憶媒体が挿入される挿入口のスリットの一端からスリットの長手方向に沿って挿入口内に突出する第１の位置と挿入口から後退する第２の位置をとるように配されたスライド部材を備え、スライド部材が情報記憶媒体の装着状態と装着されていない状態において該第１の位置をとって挿入口を塞ぎ、第２の位置をとって挿入口を開放して情報記憶媒体の挿入を可能とする抜け止め機能を有し、スライド部材が第２の位置にあることを検出する検出手段と警報手段とを設けている。
【００１７】
このような構成によれば、情報記憶媒体が完全に装着されずに挿入口に突出している状態では、スライド部材の先端が情報記憶媒体の側縁に当接して第１の位置にスライドできない。そして、検出手段はスライド部材が第２の位置にあることを検出し、警報手段によって挿入経路の途中に情報記憶媒体が未装着の状態であることが警報される。
【００１８】
したがって、ユーザは警報に基づいて情報記憶媒体が完全に装着されていないことを知ることができ、情報記憶媒体を適用するモードにおいて誤操作を回避できる。また、この構成は従前の抜け止め手段を利用したものであるので簡単であってコスト的に有利である。
【００１９】
また、請求項２に係る発明においては、情報記憶媒体が挿入される挿入口のスリットの一端からスリットの長手方向に沿って挿入口内に突出する第１の位置と挿入口から後退する第２の位置をとるように配されたスライド部材を備え、スライド部材が情報記憶媒体の装着状態と装着されていない状態において該第１の位置をとって挿入口を塞ぎ、第２の位置をとって挿入口を開放して情報記憶媒体の挿入を可能とする抜け止め機能を有し、スライド部材が第２の位置にあることを検出する検出手段とパネルが閉成されることを禁止する禁止手段とを設けている。
【００２０】
このような構成によれば、情報記憶媒体が完全に装着されずに挿入口に突出している状態では、スライド部材の先端が情報記憶媒体の側縁に当接して第１の位置にスライドできない。そして、検出手段はスライド部材が第２の位置にあることを検出し、禁止手段は挿入経路の途中に情報記憶媒体が未装着の状態であるときにパネルの閉成を禁止する。
【００２１】
したがって、ユーザがパネルを閉じようとしても、パネルの閉成が強制的に禁止されてパネルが情報記憶媒体に当たることにより生じる破損、故障等の事故を確実に防止できる。また、この構成は従前の抜け止め手段をそのまま利用したものであるので簡単であってコスト的に有利である。
【００２２】
また、請求項３に係る発明は、請求項２に係る電子機器において、検出手段はスライド部材が第２の位置にあることを検出でき、警報手段によって挿入経路の途中に情報記憶媒体が未装着の状態で存在することが警報される。したがって、ユーザは警報に基づいて情報記憶媒体が完全に装着されていないことを知ることができ、情報記憶媒体を適用するモードにおいて誤操作を確実に回避できる。
【００２３】
また、請求項４に係る発明は、請求項１乃至請求項３の何れか１項に係る電子機器において、スライド部材に情報記憶媒体の後縁部分が挿入される切欠き部を有しているため、情報記憶媒体が完全に装着されている場合には、切欠き部に情報記憶媒体の後縁部分が挿入されることにより、情報記憶媒体が装着部から抜け出てしまうことが防止される。
【図面の簡単な説明】
【００２４】
【図１】本発明の一実施例に係る車載用電子機器について、外装カバーを取り外すと共に前面パネルを開いた状態で情報記憶媒体が装着部に完全に装着されたときの正面方向から見て示す斜視図である。
【図２】図１における車載用電子機器について、正面パネルを取除いて示す正面図である。
【図３】図１における車載用電子機器を背面方向から見て示す斜視図である。
【図４】図３における車載用電子機器について、装着部を取除いた状態で筐体正面パネルの裏側を示す背面図である。
【図５】図２の車載用電子機器についてＡ−Ａ線で切断し、装着部に完全に装着した状態の情報記憶媒体と挿入口及び抜け止め手段との関係を示す断面図である。
【図６】図５における完全に装着された情報記憶媒体とスライド部材との関係を示す斜視図である。
【図７】本発明の一実施例に係る車載用電子機器について、外装カバーを取り外すと共に前面パネルを開いた状態で情報記憶媒体が装着部に完全に装着されていないときの正面図である。
【図８】図７における車載用電子機器について、装着部を取除いた状態で筐体正面パネルの裏側を示す背面図である。
【図９】図７の車載用電子機器についてＢ−Ｂ線で切断し、不完全な装着状態にある情報記憶媒体と挿入口及び抜け止め手段との関係を示す断面図である。
【図１０】図５における不完全な装着状態の情報記憶媒体とスライド部材との関係を示す斜視図である。
【図１１】本発明の一実施例に係る車載用電子機器における位置センサーの検出出力の処理のための構成を示すブロック図である。
【図１２】図２の車載用電子機器についてＡ−Ａ線で切断して挿入口に情報記憶媒体を挿入する状態を示す断面図である。
【発明を実施するための形態】
【００２５】
以下、本発明の具体例を実施例及び図面を用いて詳細に説明する。但し、以下に示す実施例は、本発明の技術思想を具体化するための車載用電子機器を例示するものであって、本発明をこの車載用電子機器に特定することを意図するものではなく、特許請求の範囲に含まれるその他の実施形態の電子機器にも等しく適用し得るものである。
【実施例】
【００２６】
本発明の一実施例に係る車載用電子機器１０は、図１〜図４で示すように、筐体２０と、筐体２０内に設けられた情報記憶媒体を装着する装着部３０と、筐体２０の前面を形成する筐体前面パネル４０と、筐体前面パネル４０に形成された情報記憶媒体用の挿入口５０と、挿入口５０の一端側に設けた情報記憶媒体の抜け止めのための抜け止め手段である抜け止め機構６０と、筐体前面パネル４０の前面にスライドして開閉自在に取り付けられた前面パネル７０とを有している。そして、車載用電子機器１０は自動車に設けられたコンソールの空きスペースに筐体前面パネル４０と前面パネル７０が表面に現れるよう組み込まれている。
【００２７】
挿入口５０は、カード状の情報記憶媒体である例えばＩＣカード８０が装着部３０に装着、離脱するためにスリット状に形成され、中央部分にはＩＣカードをつまむための凹部５０１が形成されている。ＩＣカード８０はその角が丸みを帯びている。
【００２８】
抜け止め手段を形成する抜け止め機構６０は、挿入口５０の入口部分における筐体前面パネル４０の裏面で挿入口５０のスリット方向にスライドするスライド部材６０１と、スライド部材６０１をスライドさせる筐体前面パネル４０の表面に配された操作つまみ６０２とを有する。スライド部材６０１の移動範囲は、ガイド溝６０３とガイドピン６０４とによって、図１〜図６で示す挿入口５０に突出する第１の位置と、図７〜図１０で示す挿入口５０から後退する第２の位置との間をとるように設定されている。そして、スライド部材６０１はスプリング６０５によって常に挿入口５０を塞ぐ第１の位置を取るように偏倚され抜け止め機能をはたしている。
【００２９】
前面パネル７０は、平面状の表示面７０１、操作ボタン７０２等が配置されている。前面パネル７０を開いた状態においては、筐体前面パネル４０が開放されＩＣカード８０の装着、離脱操作を可能としている。前面パネル７０は、筐体前面パネル４０を開いた状態にあるときに表示面７０１を上方に向けている。一方、前面パネル７０を閉じた状態においては操作ボタン７０２を操作して表示面７０１上に画像を表示できるようになっている。
【００３０】
スライド部材６０１の先端６０６は、図６で示すように、スライド部材６０１が第１の位置にあるときに装着部３０に装着されたＩＣカード８０の後縁８０１に当接するが、この当接部分に切欠き６０７が形成されている。この切欠き６０７はＩＣカード８０の後縁８０１が挿入される形状になっており、スライド部材６０１がＩＣカード８０によって第２の位置をとることを阻害されないようになっている。また、先端６０６は実質的に操作つまみ６０２と一体になっている。
【００３１】
筐体２０側には、図３、図４及び図８で示すように、スライド部材６０１が第２の位置にあることを検出する位置センサー９０が設けられている。この位置センサー９０はスライド部材６０１が第２の位置にあるときにその後端６０８が当接して作動する可動子９０１を有するスイッチ９０２からなる。ここで、位置センサー９０は機械的に開閉する接点からなるスイッチであってもよく、また、光学的、磁気的等の変化を用いたものであってもよい。
【００３２】
位置センサー９０は、図１１で示すように、その出力側に制御回路１００が接続されている。制御回路１００の出力側には、前面パネル７０を開閉する開閉駆動回路１１０が駆動禁止回路１２０を介して接続されている。この開閉駆動回路１１０は操作部（図示せず）による開閉操作によって前面パネル７０を開閉させるものである。禁止手段を形成する駆動禁止回路１２０は、位置センサー９０の検出出力が得られたときに制御回路１００によって開閉駆動回路１１０の閉成動作を禁止するものである。
【００３３】
同じく、制御回路１００の出力側には、ＩＣカード８０の不完全装着の旨の警報を図示しないスピーカより音声で、または／および、表示面７０１より文字表示等で発する警報部１３０が警報駆動回路１４０を介して接続されている。この警報駆動回路１４０は位置センサー９０の検出出力が得られたときに制御回路１００によって警報部１３０の警報動作を開始させるものである。ここで、制御回路１００は、車載用電子機器１０がＩＣカード８０を適用するモードが選択されたときに警報部１３０、警報駆動回路１４０からなる警報手段を制御するものである。従って、ＩＣカードを適用しないモードでは検出出力があっても警報手段は作動しないようになっている。
【００３４】
また、挿入口５０は、図５、図９で示すように、抜け止め機構６０を構成するスライド部材６０１が位置するスリットの一端と対向するスリットの他端に傾斜面５０２が設けられている。この傾斜面５０２はスリットの他端に外方に向かってスリットの長手方向が大きくなるように変化する形状に形成されている。
【００３５】
また、挿入口５０とＩＣカード８０の大きさの関係は、図１２で示すように、スライド部材６０１が第１の位置にあるとき、挿入口５０の最外方における先端６０６から傾斜面５０２の最外方までの長さＬ１は少なくともＩＣガード８０の幅Ｌ２よりも大きく設定されている。
【００３６】
次に、上述した実施例による構成の車載用電子機器１０のＩＣカード８０の装着、離脱の取り扱いについて説明する。ＩＣカード８０を使用しないときには、挿入口５０は抜け止め機構６０のスライド部材６０１によって塞がれている。即ち、スライド部材６０１はスプリング６０５の偏倚力によって挿入口５０に突出する第１の位置にある。
【００３７】
ＩＣカード８０を装着部３０に装着して使用する場合は、筐体前面パネル４０を開放した状態で操作つまみ６０２を左方に操作してスライド部材６０１をスライドさせる。スライド部材６０１は、この操作によってスプリング６０５の偏倚力に逆らって第１の位置から第２の位置にスライドする。そのため、挿入口５０はスライド部材６０１によって塞がれた状態から開放される。
【００３８】
ユーザは、操作つまみ６０２によってスライド部材６０１を第２の位置に保持した状態において、ＩＣカード８０を挿入口５０に挿入する。この挿入の際には、図１１で示すようにＩＣカード８０の前縁８０２が傾斜面５０２によって案内される。即ち、ＩＣカード８０は、前縁８０２の角が傾斜面５０２に当たって挿入口５０へと案内される。そして、ＩＣカード８０は押し込まれることによって装着部３０に完全に装着される。
【００３９】
この完全な装着状態は、ＩＣカード８０の後端中央部分が凹部５０１に露出しているので、この露出部分でもってＩＣカード８０を押し込むことによって達成される。そして、操作つまみ６０２の操作状態を開放すればスライド部材６０１がスプリング６０５によって第１の位置に戻される。
【００４０】
また、図１２で示すように、ユーザは、操作つまみ６０２に触れることなくそのままにした状態でＩＣカード８０を挿入口５０に挿入すると、ＩＣカード８０の前縁８０２の角部分が先端６０６と傾斜面５０２との間に位置される。この状態でＩＣカード８０を押し込むと、スライド部材６０１が第１の位置から第２の位置へと移動される。そのため、挿入口５０がスライド部材６０１によって塞がれている状態にあっても、ユーザは操作つまみ６０２を操作することなくＩＣカード８０の装着部３０への装着を行なうことができる。
【００４１】
また、図１２で示す装着の場合には、ユーザが操作つまみ６０２を操作する場合においても、ＩＣカード８０を押し込む力がスライド部材６０１を第２の位置にスライドさせる方向に作用するので、操作つまみ６０２の操作力を軽減できる。
【００４２】
第１の位置に至ったスライド部材６０１は、その先端部分に形成された切欠き６０７にＩＣカード８０の後縁８０１の角部分が挿入される。従って、ＩＣカード８０の後縁８０１の前方には、スライド部材６０１の先端６０６が位置されるので、ＩＣカード８０が装着部３０から抜け出てしまうことが阻止される。即ち、ＩＣカード８０が装着された状態では、挿入口８０が自動的にスライド部材６０１によって塞がれて抜け止めを行なう。
【００４３】
ＩＣカード８０を装着部３０に装着した後には、前面パネル７０を閉じることが可能となり、操作ボタン７０２を操作して映像信号の再生を行うことができる。
【００４４】
一方、ＩＣカード８０を装着部３０から離脱させる場合は、前面パネル７０を開き、操作つまみ６０２を操作してスライド部材６０１を第２の位置に移動させ、この第２の位置を保持しておく。このようにスライド部材６０１が第２の位置に保持されていることにより、ＩＣカード８０は抜け止めされている状態から開放される。そこで、ＩＣカード８０の、凹部５０１に露出している中央部分をつまんで引き出すことにより装着部３０から離脱される。そして、ＩＣカード８０は挿入口５０から抜き取ることによって離脱状態を達成させる。
【００４５】
ＩＣカード８０を抜き取った後は、ユーザが操作つまみ６０２をつまんで保持する操作状態を解除する。そのため、スライド部材６０１は操作状態の解除によってスプリング６０５の偏倚力でもって自動的に第１の位置に復帰する。この状態では挿入口５０がスライド部材６０１によって部分的に塞がる。
【００４６】
もし、装着状態が完全でない場合は、図９、図１０で示すように、ＩＣカード８０が挿入経路中に留まって挿入口５０から一部分だけ突出した状態にある。この状態では、スライド部材６０１の先端６０６がＩＣカード８０の縁に当接して第２の位置にある。そのため、スライド部材６０１の後端６０８が位置センサー９０の作動子９０１を押してスイッチ９０２を作動させている。その結果、位置センサー９０はＩＣカード８０が挿入経路中に在ることを検出する。
【００４７】
図１１で示すように、位置センサー９０の検出出力は制御回路１００に供給される。制御回路１００は検出出力によって駆動禁止回路１２０を制御し開閉駆動回路１１０が前面パネル７０を閉じることを禁止する。従って、ユーザによって前面パネル７０を閉じる操作が行なわれても前面パネル７０は閉じない。同時に、制御回路１００は警報駆動回路１４０が警報部１３０を作動させるように制御する。従って、警報部１３０はＩＣカード８０が不完全な装着状態である旨の警報を発する。
【００４８】
このように、本発明の一実施例によれば、ＩＣカード８０が装着部３０に完全に装着されている場合には、切欠き６０７にＩＣカード８０の後縁８０１部分が挿入されることにより、抜け止め機構６０による抜け止め状態を達成できる。このため、スライド部材６０１が第１の位置にスライドして挿入口５０を塞ぐので、抜け止め機構６０によってＩＣカード８０が装着部３０から抜け出てしまうことが防止される。
【００４９】
一方、ＩＣカード８０が完全に装着されずに挿入口５０に突出している状態では、スライド部材６０１の先端６０６がＩＣカード８０の側縁に当接して第１の位置にスライドできない。そして、位置センサー９０はスライド部材６０１が第２の位置にあることを検出する。位置センサー９０の検出出力は前面パネル７０の閉成動作を禁止すると共に警報を発するために供される。
【００５０】
従って、ユーザは警報によってＩＣカード８０が完全に装着されていないことを知ることができるので、ＩＣカードが装着されているつもりで記憶情報の再生動作を設定するという誤操作がなくなる。また、ＩＣカード８０が挿入口５０から突出している状態において前面パネル７０が閉じられることがないのでＩＣカード８０や前面パネル７０等を破損させることがない。
【００５１】
なお、上記実施例においては、操作つまみ６０２の縁がＩＣカード８０に当接する先端６０６と同一になっているが、操作つまみ６０２を先端６０６から離れた位置に設けて異なる位置としてもよい。
【００５２】
また、上記実施例においては、ＩＣカード８０が挿入経路中にあると前面パネル７０の閉成動作を禁止すると共に警報を発するようにしたが、本発明はこれに限定されることなくどちらか一方だけであってもよい。勿論、開閉する前面パネル７０を有しない電子機器においては警報のみとなる。
【００５３】
また、上記実施例においては、前面パネル７０は開閉駆動回路１１０を用いてモータ等の駆動力によって開閉させているが、本発明はこれに限定されることなく開閉を行なう開閉駆動手段は手動による機械的な構成のものであってもよい。この場合、駆動禁止回路１２０は機械的な閉成機構を不作動状態にする機構を制御するように構成すればよい。
【００５４】
また、上記実施例においては、前面パネル７０は筐体２０の前面に設けたが、本発明はこれに限定されることなく筐体２０の上面、側面等に設けた開閉式のパネルであってもよい。
【００５５】
また、上記実施例においては、情報記憶媒体としてＩＣカード８０を適用して説明をしたが、本発明はこれに限定されることなくカード状、プレート状の各種形状の情報記憶媒体を適用できる。
【符号の説明】
【００５６】
１０      車載用電子機器
２０      筐体
３０      装着部
４０      筐体前面パネル
５０      挿入口
６０      抜け止め機構
７０      前面パネル
８０      ＩＣカード
９０      位置センサー
１００    制御回路
１１０    開閉駆動回路
１２０    駆動禁止回路
１３０    警報部
１４０    警報駆動回路
５０１    凹部
５０２    傾斜面
６０１    スライド部材
６０２    操作つまみ
６０３    ガイド溝
６０４    ガイドピン
６０５    スプリング
６０６    先端
６０７    切欠き
６０８    後端
７０１    表示面
７０２    操作ボタン
８０１    後縁
８０２    前縁
９０１    可動子
９０２    スイッチ
【図１】
2010186428.tif 000003
【図２】
2010186428.tif 000004
【図３】
2010186428.tif 000005
【図４】
2010186428.tif 000006
【図５】
2010186428.tif 000007
【図６】
2010186428.tif 000008
【図７】
2010186428.tif 000009
【図８】
2010186428.tif 000010
【図９】
2010186428.tif 000011
【図１０】
2010186428.tif 000012
【図１１】
2010186428.tif 000013
【図１２】
2010186428.tif 000014